(57)【特許請求の範囲】
【請求項１】
少なくとも１つのパッドを備える弾性パッドシステムであって、前記パッド（１００）は、表面を有し、
前記パッド（１００）は、複数の支持弾性基礎構造の中空の柱（１２０）を含み、複数の柱の各柱（１２０）は、柱の中心軸および柱の中央空所（１２１）を囲む柱壁（１２４）と、柱の第１の端部（１２７）および第２の端部をさらに有し、前記第２の端部は閉じており、前記空所は、前記柱の第１の端部（１２７）から前記第２の端部まで延在しており、
前記複数の柱（１２０）の各柱壁（１２４）は、前記閉じた第２の端部よりも、それぞれの柱の前記第１の端部（１２７）において薄い断面厚さを有しており、
各前記柱壁（１２４）は、前記柱壁の断面が厚い前記壁の前記第２の端部に当接する領域の圧潰性が低いゾーン（１０３）に比べて、前記柱壁の断面が薄い、より圧潰性の高いゾーン（１０５）を、前記柱の第１の端部（１２７）に当接する領域に有しており、
前記パッド表面のうちの少なくとも１つが、非平面の表面になるように輪郭形成されており、
前記パッドシステムが、前記パッドの一方の側から他方の側に向かって連続的に増加する断面パッド厚さＴを有しており、
前記柱壁によって画成されたそれぞれの中央空所は、前記パッドの一方の側から他方の側に向かってｈが連続的に増加するように、前記断面厚さＴの範囲内で前記柱の中心軸において高さｈを有しており、
断面厚さｔを有するパッド表面層は、前記断面パッド厚さＴの範囲内でそれぞれの中央空所の前記閉じた端部を超えて延在し、それによりＴ＝ｔ＋ｈである、弾性パッドシステム。
【請求項２】
前記柱壁（１２４）が先細りであり、錐台形状の柱を形成している、請求項１に記載の弾性パッドシステム。
【請求項３】
前記柱壁（１２４）の前記断面厚さが、前記柱の前記第１の端部から前記柱の前記閉じた端部に向かって、１８４％超〜２３１％未満の範囲内の割合で増大している、請求項２に記載の弾性パッドシステム。
【請求項４】
前記柱壁（１２４）が、前記柱の前記閉じた端部においてドーム（１２８）に合しそれを形成するように厚さが増大している、請求項２に記載の弾性パッドシステム。
【請求項５】
ｈ：ｔの比が調節可能であり、４．０超〜６．０未満の範囲内にある、請求項１に記載の弾性パッドシステム。
【請求項６】
ｎが、前記パッドの一方の側から他方の側にわたる前記柱の番号付けを指している場合には、前記中央空所の高さｈは、式
ｈ＝０．０１１６ｎ２−０．０３６２ｎ＋［０．５３＋または−０．０４まで］
に従って、前記パッドの一方の側から他方の側に向かって増える、請求項１に記載の弾性パッドシステム。
【請求項７】
前記［０．５３＋または−０．０４まで］は、０．４９であり、次式
ｈ＝０．０１１６ｎ２−０．０３６２ｎ＋０．４９
となる、請求項６に記載の弾性パッドシステム。
【発明の詳細な説明】
【技術分野】
【０００１】
本出願は、２０１６年７月８日に出願された米国仮特許出願第６２／３６０２４３号の優先権を主張し、本明細書において完全に記載されたものとして本明細書に組み込まれる。
【０００２】
本発明は、加えられた力を減衰し、衝撃エネルギーを吸収するためのシステムに関し、より詳細には、本発明は、加えられた力を減衰し、衝撃エネルギーを吸収するためのエラストマ表面下構造および変形可能な構造に関し、より詳細には、本発明は、加えられた力を減衰し、衝撃エネルギーを吸収するための、銃床パッドなどのスポーツ物品における構造および変形可能な構造に関する。
【背景技術】
【０００３】
従来、肩で保持する火器の反動衝撃を減衰するために、いくつかの種類のシステムが使用される。そのようなシステムは、数多く知られている。一部のものは、クローズドセル発泡体、またはまとめて固められた加硫ゴムチップを使用して、ショック吸収構造を提供する。ほとんどの従来型の銃パッド構造などに伴う問題は、２つある。発泡体およびほとんどの他の従来型の衝撃減衰構造は、それらに加わる力が大きくなるほど、実際には硬くなり、底打ち（ｂｏｔｔｏｍ  ｏｕｔ）をおこし得る。ほとんどの従来型システムでは、力吸収メカニズムは、パッドのまさに表面での即時変位から始まる。
【０００４】
ゴムの高密度形態は、底打ちに対する防護を提供することはなく、相対的に非圧縮性が高く、反動衝撃の減衰をほとんど実現しない。
最近、力減衰の分野で私達が特許取得した利点が、上述した問題の側面のすべてではないにしても多くにおいて、躍進につながっている。高さが２５〜７５ｍｍ程の範囲にある変形可能なセルで構成される材料の領域において、私達が特許取得した技術は優れた業績をあげている。しかし、より薄い材料においてさらに小さいセルの必要性が明らかになったことから、セル形状、寸法、および高圧縮性領域と低圧縮性領域との高さ比における私達の以前の公式では、私達の以前の革新に匹敵するレベルで機能することができる衝撃吸収材料を得られないことが、明確になった。これは、火器用の反動パディングとして使用することが意図される材料において、特に注目されている。
【０００５】
身体の隣で、または身体に取り付けて使用するための従来型のパディングは、上述した技術と同様の技術を有している。クローズドセル発泡体、ゲルまたは液体を使用することが一般的であり、用途に応じて剛性のあるもの、またはより圧縮性の高いものがある。これらのシステムのすべてが、何らかのパディングシステムの難点を呈しており、そのうちの多くを上記で議論した。
【０００６】
人体の輪郭に合わせて型取られ、形作られる効果的なパディングの必要性が存在する。そのような衝撃減衰パディングは、ライフルの床尾、もしくはヘルメットの内側などのスポーツ機器に取り付けられてもよく、または例えば、膝、肘、もしくは肩のパッド、またはグローブの中など、人体に取り付けられた状態で着用されてもよい。
【発明の概要】
【課題を解決するための手段】
【０００７】
火器の当接端部に装着するための衝撃減衰パッドが開示される。パッドは、火器の銃床に取り付けられる底部側と、使用者の身体に当てるように意図された使用者側とを有している。本開示の目的のために、底部側を底部と呼び、使用者側をパッドの上部と呼ぶ。上部から見ると、パッドは、曲線状の側壁が先細りになりそれぞれの端部で曲線状の端部になる概ね卵型の形状である。
【０００８】
任意選択で、横から見ると、パッドは一方の端部から他方の端部に向かって厚さが先細りになっている。有利には、パッドは一方の端部における２．０３〜２．５４ｃｍ（０．８〜１インチ）の範囲にある総厚さ（示されている厚さは２．５３ｃｍ（０．９９８インチ））から、他方の端部における２．７９〜３．８１ｃｍ（１．１〜１．５インチ）（示されている厚さは３．２９ｃｍ（１．２９５インチ））に先細りになっていてもよい。
【０００９】
パッド内には、それぞれが空所を包含している一続きの錐台形状の円筒または柱が包含されている。それぞれの錐台円筒の中心軸は、パッドの底部に対して垂直に立っている。円筒の上部は、円筒のドーム状上部でドーム形状になっており、パッドの使用者側を構成している表面層にある。
【００１０】
任意選択で、円筒壁は、それぞれの円筒壁の断面が、円筒の底部において狭く、上部において広くなるように、内側と外側の両方で先細りになっている。特定の点で、円筒の内壁は線形ではなくなり、曲がって円筒のドーム状上部になる。円筒壁は、底部においてより狭く、圧縮性が高く、内壁が曲がってドームになる点に近づくにつれて広く、圧縮性が低くなっている。
【００１１】
円筒壁の外側抜き勾配は、錐台形状の円筒の中心軸と、円筒の垂直方向断面内の、円筒の先細りの外側壁に沿って伸ばした線とによって形成される角度である。好ましくは、この角度は５度超〜１１度未満である（示されている角度は１０度である）。同様に、円筒の内側抜き勾配は、円筒の中心軸と、円筒の垂直方向断面内の、円筒の先細りの内側壁に沿って伸ばした線とによって形成される角度である。好ましくは、この角度は２度超〜５度未満である（示されている角度は４度である）。
【００１２】
企図される一実施形態では、一続きの錐台形状の円筒は、パッドの一方の端部から他方に向かって高さが増大する。この実施形態では、円筒の底部の周囲は、一定に維持されている。特定の点で、円筒の内壁は線形ではなくなり、曲線状になり始める（曲がって円筒のドーム状上部になる）。この点において切り取られた断面スライスは、円筒が錐台形状であることから、高さが漸進的に増えるごとに小さくなる。
【００１３】
この実施形態の特定のバージョンでは、一続きのドーム状の錐台円筒は、高さが徐々に変化する。一続きのうちのそれぞれの円筒が、１からｎまで番号付けされた場合、一続きのうちのそれぞれの円筒の高さｈは、おおよそ式
ｈ＝０．０１１６ｎ２−０．０３６２ｎ＋０．５３［＋または−０．０４まで］
に従って、増大する。
【００１４】
これにより、内壁が線形ではなくなる点で切り取られた円筒の円形断面の半径ｒは、おおよそ式
ｒ＝−０．０００４ｎ２＋０．００１４ｎ＋０．２０［＋または−０．０２まで］
に従って、小さくなる。
【００１５】
内壁が線形ではなくなる点で切り取られた円筒壁の厚さＴｗは、おおよそ式
Ｔｗ＝０．００１３ｎ２−０．００３７ｎ＋０．１３［＋または−０．０２まで］
に従って、広くなる。
【００１６】
弾性パディングシステムの実施形態は、相対的に非平面の形状にパッドが一致しなくてはならないところで使用するために開示される。この弾性パディングシステムは、複数の支持弾性基礎構造の中空の柱である基礎構造も含んでおり、それぞれの柱が、柱を形成している柱壁、第１の端部、および閉じた第２の端部を有している。柱壁は、中央空所を囲んでおり、空所は、柱の第１の端部から閉じた第２の端部まで延在している。また柱壁は、壁の閉じた第２の端部よりも、壁の第１の端部において細くなっている断面厚さを有している。柱の第１の端部に当接する壁の部分は、壁の第２の端部に当接する断面が厚い領域の圧潰性が低いゾーンに比べて、柱壁の断面が薄い、より圧潰性の高いゾーンである。
【００１７】
一実施形態では、パッド表面のうちの少なくとも１つは、非平面の表面を形成するように輪郭形成されている。パッドシステムは、パッドの広がりにわたって変化する断面パッド厚さＴを有しており、柱壁によって画成されたそれぞれの中央空所は、パッドの広がりわたってｈが変化するように、断面厚さＴの範囲内で柱の中心軸において高さｈを有している。それに加えて、断面厚さｔを有する表面層は、断面パッド厚さＴの範囲内でそれぞれの中央空所の閉じた端部を超えて延在し、それによりＴ＝ｔ＋ｈであり、ここで中央空所は、それぞれの柱の中心軸においてｔに合（ｍｅｅｔ）する。この実施形態では、ｈ：ｔの比が調節可能であり、この比は、４．０超〜６．０未満の範囲内にあってもよい。
【００１８】
いくつかの実施形態では、柱壁は先細りになっており、錐台形状の柱を形成している。柱壁は、内側表面と外側表面を有し、したがっていくつかの実施形態では、柱壁は、内側と外側において先細りになっており、壁の内側表面と外側表面の両方について抜き勾配を有している。壁が先細りになるにつれて、柱壁の断面厚さは、柱壁の第１の端部から柱壁の閉じた端部に向かって、１８４％超〜２３１％未満の範囲内の割合で増大してもよい。
【００１９】
有利には、いくつかの実施形態では、柱壁は、閉じた端部においてドームに合しそれを形成するように厚さが増大する。
一実施形態、例えばライフル床尾のパッドに好適な実施形態では、発砲したときにライフルが当たる身体の部分に合わせて輪郭形成するために、それぞれの柱の高さが、パッドの一方の端部から他方に向かって増大してもよい。この例では、柱の高さは、上に表した二次関数に従って変化してもよく、ｎは、パッドの一方の側から他方の側にわたる柱の番号付けを指しており、中央空所の高さｈは、パッドの一方の側から他方の側に向かって増大する。あるいは、式
ｈ＝０．０１１６ｎ２−０．０３６２ｎ＋０．５０［＋または−０．０４まで］
が適用されてもよい。表された式および関係のうちの任意のもののわずかな変更は、開示されるパッドの特定のスポーツおよび身体の使用法に適合するために、本開示の一部分とみなされることが、理解される。
【００２０】
追加的な実施形態は、有利には、スポーツおよびレクリエーション環境において衝撃ストレスを減衰するために使用される競技用パディングにおいて使用されてもよい。そのようなパディングは、ライフルの床尾、またはヘルメット内側のパッドなどスポーツ用品に取り付けられてもよく、または例えば膝、肘、もしくは肩パッドで、またはグローブで身体に取り付けられた状態で着用されてもよい。したがって、人体とスポーツ用品の間で、または重要な部位のパディングとして人体に取り付けられた場合に、衝撃減衰を提供するために、相対的に非平面な形状に合わせて輪郭形成するように、同じ技術が異なるセル形状、寸法、および高さ比を用いて公式化されてもよい。
【図面の簡単な説明】
【００２１】
【図１Ａ】静止状態の従来型のクローズドセル発泡体緩衝材の概略図である。
【図１Ｂ】負荷下にある従来型のクローズドセル発泡体緩衝材の概略図である。
【図２Ａ】静止状態のエラストマ構造の開示される実施形態の図である。
【図２Ｂ】負荷下にあるエラストマ構造の開示される実施形態の図である。
【図３】わかりやすくするために特定の要素が拡大されている、開示されるパッドの態様を示す断面正面図である。
【図４】わかりやすくするために特定の要素が拡大されている、開示されるパッドの態様を示す断面正面図である。
【図５】開示されるパッドの実施形態の断面正面図である。
【図６】選択された実施形態についてのピーク衝撃力対落下高さのグラフである。
【発明を実施するための形態】
【００２２】
ここで図面を見ると、本発明は、図面の符号を参照しながら好ましい実施形態において記述されており、図面では、同様の符号は同様の部分を示している。
開示される銃パッドの一実施形態の、断面図および他の詳細図を含む複数の図が示されている。先細りの壁を有するドーム状の内部エラストマ円筒が、上面または肩に接触する表面とともに示されている。
【００２３】
本明細書全体を通して「一実施形態」または「実施形態」という言及は、この実施形態に関連して記述された特定の特徴、構造、または特性が、本発明の少なくとも１つの実施形態に含まれていることを意味している。したがって、「一実施形態において」または「実施形態において」というフレーズが、本明細書全体を通して様々な箇所に出現するが、これは必ずしもすべてが同じ実施形態を指しているとは限らない。さらに、特定の特徴、構造、または特性は、１つまたは複数の実施形態において任意の適切なやり方で組み合わされてもよい。
【００２４】
本明細書全体を通して「柱」という言及は、典型的には円筒形または多角形のシャフトおよび２つのシャフト端部を有する、管状でシャフト状の支持構造を指す。同様に、本明細書全体を通して「円筒」という言及は、同じく２つのシャフト端部を有する、管状でシャフト状の支持構造を指す。
【００２５】
本明細書全体を通して「柱端部」という言及は、柱シャフトが終わったとみなされる点のセットを指す。柱端部は、開いていても閉じていてもよい。全般的に、本明細書において言及される柱は中心軸を有しており、柱端部は、柱の中心軸に対しておおよそ垂直である仮想交差面において、柱シャフトが終わることによって画成される。しかし閉じた柱端部は、ドーム状、くぼみ、または柱の内側表面もしくは外側表面状の任意の他の形状であってもよい。
【００２６】
全般的に、本明細書において言及される柱は、柱のシャフトまたは曲線状表面を画成している連続した曲線状の「柱壁」によって囲まれた中央の空所を有する中空の柱である。柱壁は、全体的に均一な断面厚さのものであってもよく、または例えば柱の一方の端部においては相対的に分厚く、他方の端部では相対的に薄い、調節可能な断面厚さのものであってもよい。
【００２７】
「錐状」という言葉は、本明細書全体を通して、錐の一般的な高等幾何学的定義によって全体的に記述される形状を指す。錐は、共通の点、すなわち頂点を、底部上の点のセットのすべてにつなげる線分のセットによって形成される任意の三次元形状であり、底部は、頂点を含んでいない平面である。底部は、円を形成する点のセットに限定されず、底部は点の任意のセットから形成される任意の形状であってもよいことに留意すべきである。例えば、多角形の底部を有する錐は角錐を形成し、楕円形の底部を有する錐は楕円錐を形成する。
【００２８】
本明細書全体を通して「錐台」形状という言及は、とがった頂点が切り取られ、それにより錐の基底部分が残り、錐が、錐の底部を形成している点のセットから平面内の点のセットまで延在しており、その平面が、錐の中心軸に対しておおよそ垂直である錐形状を指す。
【００２９】
本明細書全体を通して「外側抜き勾配」および「内側抜き勾配」という言及は、以下の角度を指す。一般的に、錐の底部の周囲は準線と呼ばれ、準線と頂点との間の線分は、側面の母線である。柱壁の厚さを有する錐状に形成された中空柱の場合には、２つの錐が存在することになり、一方は内側、他方は柱を形成するものである。両方の錐は中心軸をおおよそ共有している。一方の錐の側面は、柱シャフトの外側側面を形成し、一方の錐の側面は、柱シャフトの内側側面を形成する。外側抜き勾配は、外側側面の母線と、共通の中心軸との間に形成される角度である。内側抜き勾配は、内側側面の母線と、共通の中心軸との間に形成される角度である。
【００３０】
本明細書全体を通して「底打ち」という言及は、緩衝材料または構造が、力の方向へのさらなる変形が相対的にほぼできない状態に到達した点を指す。
図１Ａおよび図１Ｂは、それぞれ静止状態と負荷下にある従来型のクローズドセル発泡体緩衝材の概略図である。図１Ｂでは、発泡体緩衝材は、負荷下で表面が変形していることから、不安定な状態を示しており、表面の変形に起因した危険な潜在的結合につながる。衝撃エネルギーは、上から下に発泡体セルを押しつぶすことによって吸収され、負荷下で材料は「どんどん硬く」なる。
【００３１】
図２Ａおよび図２Ｂは、それぞれ静止状態および負荷下にあるエラストマ構造の開示される実施形態の図である。構造が衝撃または負荷を受けるとき、表面の変形は最小であり、結合する傾向はなく、衝撃エネルギーは、円筒構造の閉じた第２のゾーンではなく円筒構造の第１のゾーンにおいて、構造（円筒が図示されている）が「制御された態様で」座屈する、または圧潰されることによって、吸収されることに留意すべきである。したがって、圧潰可能な構造が変形し続けるときに、材料は負荷下で「より柔らかく」なり、相対的に耐変形性の高い第２のゾーンの変形によって負荷が吸収されることから、パッドの構造は「底打ち」を起こしにくい。
【００３２】
図３は、例示を目的として、柱または円筒の長さが拡大されている、開示されるパッド１００の実施形態を示す断面正面図である。パッド１００は、表面層１１０を有している。表面層１１０は、柱壁１２４および中央空所１２１を備える柱１２０によって支持される。柱１２０は、任意の既存の適切な形状であってもよいが、規則的な幾何形状が好ましく、製造しやすいことから円筒または錐台形状が有利であり、その形状が、本明細書ではすべてのそのような柱のモデルとして議論される。（錐台柱モデルの柱１２０の抜き勾配および他のテーパ角度の特定の議論を除き、参照しやすくするために、柱は、典型的には随時円筒と呼ばれる。）柱壁１２４は、有利には管状端部である柱端部１２７を有し、柱１２０内の空所１２１への中空の中央開口部がある。柱端部１２７における柱壁１２４は、幅ｄを有している。一実施形態では、柱の第２の端部はドーム形状であり、ドーム１２８は、空所１２１の閉じた端部を形成している。
【００３３】
柱壁１２４は、柱端部１２７の領域にある第１のゾーン１０５と、ドーム１２８の領域にある第２のゾーン１０３という２つのゾーンを有している。第２のゾーン１０３は相対的に耐圧潰性が高いが、第１のゾーン１０５はこれとは異なり、作業負荷圧縮をすべて受けるだけではなく、初期の過負荷圧潰または変形も受けるように設計されており、相対的に第２のゾーン１０３よりもはるかに圧縮性が高い。第１のゾーン１０５の典型的な圧縮には、（柱の中心軸に対して）外向きと内向きのわずかな膨らみとして１対の点線１０９で示されている中程度の変形が伴い、これは、（矢印１０１で示されている）圧縮力が作用して、エラストマ材料を高さにおいて垂直方向に圧縮し、壁の他の境界から離れるように材料を膨らませるからである。負荷の増加に起因して、または衝撃に起因して、負荷が増すにつれて、第１のゾーン１０５は１対の破線１０７で示された態様で、矢印１０４に示された方向に著しく変形して実際に座屈し、または圧潰される。材料がそれ以上圧縮されるまたは膨らむことは本質的になくなり、その代わりに、概略的に示されている特徴的な座屈崩壊により（柱の中心軸に対して）外向きに圧潰される。
【００３４】
第２のゾーン１０３は、第１のゾーン１０５の初期の圧縮および変形中、およびその後の著しい圧縮および変形中の全体にわたって、ほぼ受動的に作用する。関連する力、ならびにゴムおよび柱の寸法および特性に応じて、第２のゾーン１０３は、１対の点線１０２で概略的に表されたわずかな膨らみを呈するだけである。この差異は意図的なものであり、まだ完全には理解されていない他の要因が作用し得る一方で、圧縮効果および最終的な座屈崩壊（第１のゾーン１０５のみ）における明白な差異は、ゾーン１０５に比べてゾーン１０３の幾何形状の著しい差異に起因するものと考えられる。
【００３５】
第１のゾーン１０５は、相対的に狭い断面として柱端部１２７から始まり、厚さが増していき、最終的には、上述した変形効果を実現するのに十分な壁厚さまで増大する。柱壁１２４の大体この領域あたりが、仮想ゾーン境界１０６である。この仮想ゾーン境界上、およびそれより上では、断面厚さが増大していることから、単純に材料特性によって、いかなる既存の圧縮または圧潰も支持されなくなる。この仮想境界より上では、パッド１００の表面層１１０上の最も激しい衝撃のときにそうなるように、第２のゾーンが完全に圧潰されるまでは、およびそうならない限り、圧縮力は、第２のゾーン内で膨らみまたは他の変形効果を発揮することなく本質的には第１のゾーンに通される。そのようなときに、相対的に圧縮性の低い第２のゾーン１０３はそれでもなお、第１のゾーン１０５に向けて通された後に残っている並外れた衝撃エネルギーを吸収することによって、「底打ち」を防止するように作用し始める。十分な衝撃力が与えられると、実際にはゾーン１０５も変形し、衝撃エネルギーのさらに多くを吸収することになる。
【００３６】
図３の概略図は、上に向かって第２のゾーン１０３になる第１のゾーン１０５が徐々に先細り、ゾーン間で単に仮想の境界１０６に交差していることを示しているが、他の実施形態では、徐々にもしくは先細りした態様ではなく、上方で厚さを増大させることによって、境界が明確にされている。例えば、限定するものではないが、厚さの増大が徐々にではなく突然実現されるように、第２のゾーン１０３は、おそらくは境界１０６上で、またはその周りで分厚くなった段によって、突然の厚さ変化を有することができる。
【００３７】
図４は、例示を目的として、柱または円筒の長さが拡大されている、開示されるパッド１００の実施形態を示す断面正面図である。柱１２０は、上側層１１０の直ぐ下の、柱の閉じた端部において幅Ｃを有している。空所１２１は、任意のドーム１２８の直ぐ手前で最上部の幅ｗを有している。この代替的な実施形態では、柱１２０は、硬化リブ１４０、および／または、他の柱もしくは表面層１１０の下側につながるリンクもしくはブリッジ１３０を有している（図３も参照）。いずれの場合にも、リブ１４０またはリンク１３０の効果は、相対的に圧潰性の低いゾーン１０３をはるかに硬くすることであり、それにより（図３で議論した）第２のゾーン１０３の効果を強化することである。少なくとも１つの効果は、リブ１４０またはリンク１３０が柱１２０に接合される限り、その点における柱幅は、リブもしくはリンクの下、または柱の他のどの場所よりも、著しくかつ効果的に大きくなる。リブまたはリンクは、任意選択で丸いリブ端部もしくは平坦な端部で終わってもよい先細部を、任意選択で有する。
【００３８】
柱底部１２７は幅ｄを有し、空所開口部１０８は幅Ｗを有し、ここで円筒形または錐形の空所を閉じる円筒形または錐形の柱については、柱底部の面積Ａは、公式
Ａ＝（π／４）＊（（Ｗ＋２ｄ）２−Ｗ２）
によって与えられる。
【００３９】
図５は、開示されるパッド１００の実施形態の断面正面図である。この実施形態は、例えば様々なタイプの競技およびスポーツ用パディングに使用するのに好適な構成の構造である。例えば、限定するものではないが、図５によって描かれているパッドは、銃パッド、またはライフルの床尾用肩パッドとして機能する。この実施形態は、図３に関して上記で議論した柱１２０、中央空所１２１、柱壁１２４、および柱端部１２７を備えている。またこの実施形態は、柱壁の相対的に圧潰性の高い第１のゾーン１０５、および相対的に圧潰性の低い第２のゾーン１０３を備えており、これらのすべての衝撃吸収特性は図３に関して議論された。
【００４０】
図５の実施形態では、柱１２０は、図４に関して上記で議論されたように、先細りの柱壁１２４と任意選択のドーム１２８を有する同じく錐台形状のものである。柱壁１２４は、内側および外側の柱壁抜き勾配１２３および１２５を備えている。好ましくは、外側抜き勾配１２５は、５度超〜１１度未満であり、好ましくは、内側抜き勾配１２３は、２度超〜５度未満である。１．０２〜１．７８ｃｍ（０．４〜０．７インチ）の範囲にある公称柱高さについては、好ましい抜き勾配は、勾配１２５については約１０度、勾配１２３については約４度である。
【００４１】
企図される一実施形態では、パッドの表面層１１０は、設計対象である人体の部分に快適に合うように、輪郭形成される。例えば、限定するものではないが、ライフルの床尾に装着されるように作られたパッドは、肩に合うように輪郭形成されてもよく、図５に示されている断面正面図の左側の全体的な厚さＴ１が、約２．５４ｃｍ（１インチ）であり（パッド１００の左側の１対の矢印Ｔ１によって示されている）、他方の端部の全体的な厚さＴ２が、約３．３０ｃｍ（１．３インチ）である（パッド１００の右側の１対の矢印Ｔ２によって示されている）。
【００４２】
図５のエラストマ構造は、１対の矢印ｔによって示されているほぼ一定の厚さｔを有する表面層１１０、および１対の矢印ｈによって例示されている異なる柱高さｈも有している。有利には、スポーツ用途で使用するためのパッドの衝撃減衰および緩衝特性を促進するために、エラストマ円筒のアレイは、表面層１１０の輪郭に合うように高さが徐々に変化する。
【００４３】
図５に示されているライフル床尾パッドの例では、一続きの錐台形状の円筒は、有利には、パッドの一方の端部から他方に向かって高さが徐々に変化している。柱端部１２７を横切って線が引かれた場合には、徐々に変化しているこの高さは、構造が必要とする輪郭をたどりながら、表面層の一定の厚さｔを維持することになる。この実施形態では、円筒の開口部１０８の周囲は、一定のままである。柱１２０のシャフト内の仮想周囲１０７（複数の点線１０７によって示されている）において、円筒の内壁は線状ではなくなり、曲線状になり始め、曲がってドーム１２８を形成する。周囲１０７において切り取られた断面スライスは、円筒が錐台形状であることから、高さが漸進的に増えるごとに小さくなる。
【００４４】
例えば、全体的な高さＴが２．５４ｃｍから３．３ｃｍ（１から１．３インチ）に増大し、ドームとは反対側の端部の一定の円筒開口部が直径１．１３ｃｍ（０．４４５インチ）である公称輪郭については、一続きのドーム状の錐台円筒は、以下の式
ｈ＝０．０１１６ｎ２−０．０３６２ｎ＋０．５０［＋または−０．０２まで］
に従って、高さｈ（インチで測定）が徐々に変化し、ここで一続きのうちのそれぞれの円筒は、１からｎまで番号付けされる。
【００４５】
同様に、内壁が線形ではなくなる点（複数の点線１０７によって示されている）で切り取られた円筒の円形断面の直径は、円筒の高さが増すにつれて狭くなり、内壁が線形ではなくなる点（複数の点線１０７によって示されている）で切り取られた円筒壁の厚さは、円筒の高さが増すにつれて、広くなる。
【００４６】
線形の一続きではなく、円筒のアレイの場合には、円筒の高さは、適宜表面層１１０の輪郭に合うように調整されなくてはならないことが理解される。
図６では、ピーク衝撃力対落下高さの曲線のグラフが提示されている。これは、前の開示で提示された力対変位の曲線とは異なっている。このようなグラフによって、衝撃ショックを吸収するための構造の設計目標とされた性能に関して、より機能的に応用可能なデータが提供される。
【００４７】
グラフに提示されたデータに関して、ピーク衝撃力（Ｇｍａｘ）は、ＡＳＴＭ手順、Ｆ３５５−１０ａに従ってミサイルＥを使用して、３つの異なる実施形態について測定された。Ｇｍａｘは、落下高さの関数としてインチでプロットされた。曲線は、本明細書に実質的に記述した通りのパッドの実施形態を用いてプロットされたデータから得られる。
【００４８】
パッドは、全般的に、有利には、以下の特性を有するＳＢＲ／ＥＰＤＭ／天然ゴムのエラストマ材料から作られる。すなわち、マットの表面で測定されたショアＡデュロメータ値４０〜７０（より具体的には４０〜５０、および有利には約４４）、係数約０．５ＭＰａ〜約４ＭＰａ、および有利には約０．６９ＭＰａである。
【００４９】
好ましい基礎構造は、一様格子上、またはハニカム構成内のものとすることができる。好ましい基礎構造は、円形、楕円形、または３つから２０またはそれ以上の面で作られた多面形状のものとすることができる。好ましい基礎構造は、一方では円筒間のエラストマブリッジによるリンクのない共有壁の構成を有してもよく、または代替的にエラストマリンクによって互いに接合されてもよい。
【００５０】
上記で言及されたものの、本明細書において他の態様で特定または詳細に記述されていないシステムおよび構成要素に関して、そのようなシステムおよび構成要素の作用および仕様、ならびにそれらが作られ得る、組み立てられ得る、または使用され得る方法は、本明細書において開示された目的を有効にするようにそれらが互いに協働する場合も、本明細書で開示された他の要素と協働する場合も、すべては十分に当業者の知識内にあると考えられる。したがって、一般的に当業者に知られていることをここで繰り返そうとする具体的な試みはなされていない。
【産業上の利用可能性】
【００５１】
ライフル床尾パッド、ヘルメットハッド、肩、膝、および肘パッド、グローブなどのパディングを必要とする競技用品の衝撃およびショック吸収パッドは、衝撃による負傷を防止し、繰り返される衝撃ストレスを緩衝しなくてはならない。
【００５２】
開示されたパッドは、衝撃吸収性能を最大にすることが研究で示されている理想的なコンプライアンスレベルに調節される。最適化された性能によって、特定の身体部分にかかる圧力を低減し、ショックを低減し、疲労低減を最大化しながら、安定性および支持が保証される。従来のコンプライアント材料は、圧縮されるとコンパクトに硬くなる。本明細書に開示されたユニークな構造は、実際に触ると硬いが、加えられる力が増大するにつれて柔らかくなる。したがって、衝撃およびショック吸収パッドは、多くのタイプのスポーツ用品上で、またはその中で使用するように適合される。
【００５３】
規則に準拠して、本発明は、構造的特徴に関して多かれ少なかれ特定の言葉で記述されている。しかし、示されている手段および構造は、本発明を実施する好ましい形態を備えていることから、本発明は示されている特定の特徴に限定されないことが、理解されるべきである。したがって本発明は、等価物の原理に従って適切に解釈される、添付の特許請求項の法的かつ正当な範囲内にあるその形態または修正形態のいずれにおいても特許請求される。
【図１Ａ】
0006989536.tif 000002
【図１Ｂ】
0006989536.tif 000003
【図２Ａ】
0006989536.tif 000004
【図２Ｂ】
0006989536.tif 000005
【図３】
0006989536.tif 000006
【図４】
0006989536.tif 000007
【図５】
0006989536.tif 000008
【図６】
0006989536.tif 000009